(57)【要約】      （修正有）【課題】ポストまたは任意の物体に取り付けることができ、独立して機能する市民とのコミュニケーションのためのＬＥＤディスプレイを提供する。【解決手段】ＬＥＤディスプレイは、ＬＥＤスクリーンと、ＬＥＤスクリーンより下の略同一の高さに位置するワイファイ（Ｗｉ−Ｆｉ）発信機２、緊急灯３及びセキュリティーカメラ５と、ワイファイ発信機、緊急灯及びセキュリティーカメラより下に位置するレーダー１と、ＬＥＤスクリーンの側方に位置する通常用スピーカーと、ＬＥＤスクリーンより上に位置する緊急用スピーカー４と、ＬＥＤスクリーン、ワイファイ発信機、緊急灯、セキュリティーカメラ、レーダー、通常用スピーカー及び緊急用スピーカーを囲む金属製取り付け器具を備える。【選択図】図１
0003223615.tif 000002
【実用新案登録請求の範囲】
【請求項１】
ａ）ＬＥＤスクリーンと、ｂ）金属製取り付け器具と、ｃ）レーダーと、ｄ）ワイファイ（Wi-Fi）発信機と、ｅ）緊急灯と、ｆ）緊急用スピーカーと、ｇ）セキュリティーカメラと、ｈ）通常用スピーカーを備えている、ＬＥＤディスプレイ。 
【請求項２】
白黒及びカラー画像の両方を投影することが可能である、請求項１に記載のＬＥＤディスプレイ。
【請求項３】
前記金属製取り付け器具が、垂直面又は水平面に取り付けられることが可能な金属製留め金又は磁極である、請求項１に記載のＬＥＤディスプレイ。
【請求項４】
前記レーダーが車両の速度及び地理的位置を検出する、請求項１に記載のＬＥＤディスプレイ。
【請求項５】
前記ワイファイ発信機がインターネットに接続可能であり、選択されたデータベースに情報を送信することが可能である、請求項１に記載のＬＥＤディスプレイ。
【請求項６】
前記緊急灯が予め選択された緊急状況において赤色に発光する、請求項１に記載のＬＥＤディスプレイ。
【請求項７】
前記緊急用スピーカーが、その作動時に前記緊急灯に同期して警告音を発する、請求項１に記載のＬＥＤディスプレイ。
【請求項８】
前記セキュリティカメラが、車両、人及びあらゆる種類のナンバープレートを識別することが可能である、請求項１に記載のＬＥＤディスプレイ。
【請求項９】
前記スピーカーが、前記スクリーンの場所の近くの歩行者及びその他の人々にメッセージを伝達することが可能である、請求項１に記載のＬＥＤディスプレイ。
【考案の詳細な説明】
【技術分野】
【０００１】
スクリーン用途の分野: この装置は、大勢の人の行き交う場における通信技術の分野で使用されることが意図されている。これは、大規模で同期した利用のため更新されたハードウェアとソフトウェアを備えたスクリーンで、都市に“スマートシティ”のコンセプトを組み込むことを目的としている。通信、セキュリティ、健康、情報サービスの提供など、さまざまな分野でコミュニティにサービスを提供することを目的としている。
【背景技術】
【０００２】
スクリーン用途の目的: 本スクリーンは、市民とのコミュニケーションの分野において、最も関連性のある問題を解決するように設計されている。この問題とは、最も必要とされる場所で市民に関連した情報を的確に伝達する技術的要素の欠如である。スクリーンは、大勢の人が行き交う場で、適宜市民に様々な情報を提供する。そのような意味で、本スクリーンは、全市民に提供するための多種多様な情報を常に保存する。
【０００３】
本スクリーンの目的は、市民のためのスマートな電子掲示板を提供することである。これは、先進技術の使用を通じて、公私の場を問わず行き交う市民により快適な生活環境を提供するために一つの機器にできるだけ多くのサービスを組み込むことを意図している。そのため、マスメディアと市民／ユーザーとの友好関係の構築できる都市環境を作ることを可能にする様々なサービスを統合することを目的としている。
【０００４】
背景: 本スクリーンの開発に関わる公開する知的財産には、次の事項が協調可能である。画像投影のためのＬＥＤスクリーン技術、静止・動画撮影カメラ、位置確認のためのレーダーＧＰＳ、電話通信のためのワイファイ（Wi-Fi）、音声発信のためのスピーカーとインターネットへのアクセス。
【０００５】
本発明の直接の背景として、登録過程における実用新案は、出願番号２０１８−０００１１６で言及されている。前記実用新案出願は現在、異議解消段階にあり、２０１８年２月２３日に同会社（Color Vision、S.A.）によって申請された。
【０００６】
出願番号２０１８−０００１１６に係る実用新案は、金属製の制御箱で構成されている。この制御箱は、ポールに取り付けられていてもいなくてもよく、スクリーンと協調して動作する。 制御箱には、電動モーターで自転車や電気自動車を充電するためのコネクター、緊急の心臓血管蘇生器、緊急電話、血圧計と座るための折り畳み式の座席の器具など、さまざまなサービスをユーザーに提供することも目的としている。
【０００７】
出願番号２０１８−０００１１６に係る実用新案を本質的に保管するのは、スクリーンである。その申請に添付されている技術資料にあるように、スクリーンは次の要素によって特徴付けられる。カラーまたは白黒ＬＥＤスクリーン、スピード測定器、公共ワイファイ、非常灯、緊急ホーン、人や物の識別システムを備えた防犯カメラ。 
【０００８】
出願番号２０１８−０００１１６によって提示され、本出願によって解決することが望まれる欠点は、その動作が個別化される必要があることである。パイロットモデルは、画面の横にあるポールに取り付けられた制御箱との間の結合で構成されている。
【考案の開示】
【考案が解決しようとする課題】
【０００９】
本出願の目的は、独立して機能するスクリーンを提示することであり、ポストまたは任意の物体に取り付けることができる。
【課題を解決するための手段】
【００１０】
本発明のＬＥＤディスプレイは、ａ）ＬＥＤスクリーンと、ｂ）金属製取り付け器具と、ｃ）レーダーと、ｄ）ワイファイ発信機と、ｅ）緊急灯と、ｆ）緊急用スピーカーと、ｇ）セキュリティーカメラと、ｈ）通常用スピーカーを備えており、これにより上記課題を解決する。
【００１１】
前記ＬＥＤディスプレイは、白黒及びカラー画像の両方を投影することが可能であってもよい。
【００１２】
前記金属製取り付け器具は、垂直面又は水平面に取り付けることが可能な金属製留め金又は磁極であってもよい。前記金属製取り付け器具により、垂直面又は水平面の破壊の被害及び屋外での風化が防止される。
【００１３】
前記レーダーは、車両の速度および地理的位置を検出してもよい。
【００１４】
前記ワイファイ発信機はインターネットに接続可能であり、選択されたデータベースに情報を送信することが可能であってもよい。
【００１５】
前記緊急灯は、予め選択された緊急状況において赤色に発光してもよい。
【００１６】
前記緊急用スピーカーは、その作動時に前記緊急灯に同期して警告音を発してもよい。
【００１７】
前記セキュリティカメラは、車両、人およびあらゆる種類のナンバープレートを識別することが可能であってもよい。
【００１８】
前記スピーカーは、歩行者及び前記スクリーンの場所の近くの人々にメッセージを伝達することが可能であってもよい。
【考案を実施するための最良の形態】
【００１９】
発明の簡単な説明: 本出願に記載のＬＥＤスクリーンは、外部通信の分野における革新をもたらす。 異なるデバイスおよびシステムをＬＥＤスクリーンに組み込むことによって、ユーザ、自治体および異なる関係機関の間のコネクターとして機能するように意図されている。 
【００２０】
画面には、インターネットネットにアクセスするためのデバイス、識別および記録システムを備えたカメラ、速度記録システムを備えたレーダー、および同期スクリーン管理用の統合システムがある。意図されていることは、公的部門と民間部門の両方が、より良いコミュニケーションと市民の理解を得るためにスクリーンの利点を利用できるということである。 その代わりに、スクリーンは市民の利益になるように意図されているため、自分がいる自治区のセクターで必要とされる情報にアクセスすることができる。前のセクションで示したように、スクリーンは都市をスマートな都市に変えるためのアクセス装置である。 
【００２１】
発明の詳細な説明: 画面の高さは約２．３３メートル、長さは約１．３６メートル、おおよその幅は２９．０５センチメートルである。画面には、以下のコンポーネントが設置されている。金属製の金具に埋め込まれたシステムＬＥＤスクリーンで、特に屋外用で、垂直または水平のいずれの面にも設置でき、複数のデバイスを統合したユニークで特別なデザイン カラー画像の投影用のカメラ、速度測定機、公衆ワイファイ、緊急照明、緊急ホーン、セキュリティカメラなど、顔、ナンバープレート、人、車両を識別する二酸化炭素（ＣＯ２）の測定のための装置を有し、他の装置を追加で設置させることができる。
【００２２】
図１のスマートスクリーンはＬＥＤスクリーンであり、（Ａ）屋外使用を前提とした、厳しい自然条件や事故による破損を最小限に抑えることを目的とした強化金属の保護ケースに個別または複数の統合された機器が収納でき、ポールに据え付けることができる。収納ケース内には、フルカラーＬＥＤスクリーンと単色ＬＥＤスクリーンの組み合わせ、（１）車速検出レーダー、（２）公共ワイファイ、（３）緊急灯、（４）緊急時用スピーカー、（５）ナンバープレート及び顔認証システム監視カメラ、（７）車両及び通行者カウントシステムが備えられている。
【００２３】
スクリーンは移動又は静止している物体を識別するためのシステムと同期化される（６）カメラを有する。この識別システムは、移動中の物体の速度、人々の顔及び乗物のプレートと共に、識別のために調整され得る各種の数字を識別するように調整され得る。
【００２４】
（５）ナンバープレート及び顔認証システム監視カメラは、映像を取り込んでこれを格納する能力を有するだけの「単純な」セキュリティカメラである。他方、（６）カメラはバイオメトリック読み取りシステムを有するシンクロスキャナ及び動きセンサを有し、同時にそのメモリ（memerium）内により良好な品質の画像解像度にて取り込むためのより大きな（better）容量を有する複雑なカメラである。結論として、一方（（６）カメラ）が他方（（５）ナンバープレート及び顔認証システム監視カメラ）より複雑である、二つの異なるカメラ（chamber）が存在する。
【００２５】
図３及び図４は、スマートスクリーンの外観寸法を示す。ここで、緊急灯及び緊急時用スピーカーは独立した機器であるが、保護ケース内に収納されているため統合されているように見える。
【００２６】
市民とのコミュニケーションのためのスマートスクリーンは、現在高度な処理が必要な一連の商品やサービスへの直接アクセスの必要性に対する解決策として、または高コストのためにアクセスすることが困難であることを市民に提示することを意図している。これらの目的のためのデバイスは、有益なまたは商業的なアナウンスを送信する可能性を与えるマスコミュニケーションステーションを作成する一連の付属品を備えたＬＥＤスクリーンと、市民のセキュリティのためのオーディオビデオシステムと、ワイファイ、 デバイスに組み込まれているシステムが実行できるその他のサービスが含まれる。 
【産業上の利用可能性】
【００２７】
ＬＥＤスクリーンを備えたＬＥＤディスプレイに利用することができる。
【図面の簡単な説明】
【００２８】
【図１】本考案によるスマートスクリーンの詳細を示す。
【図２】本考案によるスマートスクリーンの設置例を示す説明図である。
【図３】本考案によるスマートスクリーンの外観寸法を示す。
【図４】本考案によるスマートスクリーンの外観寸法を示す。
【符号の説明】
【００２９】
１  車速検出レーダー
２  公共ワイファイ
３  緊急灯
４  緊急時用スピーカー
５  ナンバープレート及び顔認証システム監視カメラ
６  カメラ
７  車両及び通行者カウントシステム
【図１】
0003223615.tif 000003
【図２】
0003223615.tif 000004
【図３】
0003223615.tif 000005
【図４】
0003223615.tif 000006
【手続補正書】
【提出日】令和1年5月13日(2019.5.13)
【手続補正１】
【補正対象書類名】実用新案登録請求の範囲
【補正対象項目名】請求項１
【補正方法】変更
【補正の内容】
【請求項１】
金属製取り付け器具（Ａの位置）と、
前記金属製取り付け器具（Ａの位置）に埋め込まれたＬＥＤスクリーン（Ａ）と、
レーダー（１）と、
ワイファイ（Wi-Fi）発信機（２）と、
緊急灯（３）と、
緊急用スピーカー（４）と、
セキュリティーカメラ（５）と、
通常用スピーカー（７の位置）
を備えている、ＬＥＤディスプレイ。 
【手続補正２】
【補正対象書類名】実用新案登録請求の範囲
【補正対象項目名】請求項２
【補正方法】変更
【補正の内容】
【請求項２】
前記ＬＥＤスクリーン（Ａ）は白黒及びカラー画像の両方を投影することが可能である、請求項１に記載のＬＥＤディスプレイ。
【手続補正書】
【提出日】令和1年8月22日(2019.8.22)
【手続補正１】
【補正対象書類名】実用新案登録請求の範囲
【補正対象項目名】請求項１
【補正方法】変更
【補正の内容】
【請求項１】
ＬＥＤスクリーンと、
前記ＬＥＤスクリーンより下の略同一の高さに位置するワイファイ（Wi-Fi）発信機、緊急灯及びセキュリティーカメラと、
前記ワイファイ発信機、前記緊急灯及び前記セキュリティーカメラより下に位置するレーダーと、
前記ＬＥＤスクリーンの側方に位置する通常用スピーカーと、
前記ＬＥＤスクリーンより上に位置する緊急用スピーカーと、
前記ＬＥＤスクリーン、前記ワイファイ発信機、前記緊急灯、前記セキュリティーカメラ、前記レーダー、前記通常用スピーカー及び前記緊急用スピーカーを囲む金属製取り付け器具
を備えている、ＬＥＤディスプレイ。